(57)【要約】【課題】良好な開閉操作性を実現し、構成の簡素化及び配置スペースの縮小を図り、フリーストップ機能などの使い勝手を高める動作特性を実現する。【解決手段】支軸４を着脱可能に保持するヒンジ装置が、軸線に直交する１方向から支軸を受容可能な開放部５７が設けられた軸受け部５８を備えたヒンジ本体５１と、軸線に直交する１方向から支軸を受容可能な開放部６５が設けられた軸受け部６６、及び開閉体３と連動回転するように開閉体と連結される連結部６７を備え、支軸と同軸的に回転可能にヒンジ本体に保持されたカラー５２と、中立位置を挟んで付勢方向が切り替わるようにカラーをヒンジ本体に対して回転付勢するばね５４とを有するものとする。【選択図】図４
2007316392.tif 000002
【特許請求の範囲】
【請求項１】
装置本体に対して開閉体を複数の方向に開閉可能にするべく、支軸とこの支軸を着脱可能に保持するヒンジ装置とが前記開閉体及び装置本体に複数設けられ、
前記ヒンジ装置が、
軸線に直交する１方向から前記支軸を受容可能な開放部が設けられた軸受け部を備えたヒンジ本体と、
軸線に直交する１方向から前記支軸を受容可能な開放部が設けられた軸受け部、及び前記開閉体と連動回転するように前記開閉体と連結される連結部を備え、前記支軸と同軸的に回転可能に前記ヒンジ本体に保持された連動回転体と、
中立位置を挟んで付勢方向が切り替わるように前記連動回転体を前記ヒンジ本体に対して回転付勢する付勢手段とを有し、
前記支軸を保持しない初期状態で、前記ヒンジ本体及び連動回転体の各開放部が前記支軸の進入方向に向いた状態で互いに整合し、前記支軸を保持した状態で前記開閉体が開かれると、前記ヒンジ本体及び連動回転体の各開放部が互いにずれて前記支軸の離脱を阻止すると共に、前記開閉体の開度が全閉位置から全開位置まで変化するのに応じて閉方向付勢状態、フリーストップ状態、及び開方向付勢状態となるようにしたことを特徴とする開閉体の開閉機構。
【請求項２】
前記ヒンジ本体が、前記装置本体側に設けられたガイド部に沿って進退可能な脚部を備え、前記開閉体を閉じる際に、前記支軸が前記ヒンジ装置に保持されたまま、前記開閉体が前記装置本体から離反する方向に移動可能としたことを特徴とする請求項１に記載の開閉体の開閉機構。
【請求項３】
前記ヒンジ装置が、
軸線に直交する１方向から前記支軸を受容可能な開放部が設けられた軸受け部、及び前記装置本体側の面に当接可能な腕部を備え、前記支軸と同軸的に回転可能に前記ヒンジ本体に保持された独立回転体と、
この独立回転体の腕部を前記装置本体側の面に当接させる向きに当該独立回転体を前記連動回転体に対して回転付勢する付勢手段とを有し、
前記支軸を保持しない初期状態で、前記ヒンジ本体及び独立回転体の各開放部が前記支軸の進入方向に向いた状態で互いに整合し、前記支軸を保持した状態で前記開閉体が前記装置本体から離反移動すると、前記ヒンジ本体及び独立回転体側の各開放部が互いにずれて前記支軸の離脱を阻止するようにしたことを特徴とする請求項２に記載の開閉体の開閉機構。
【請求項４】
軸線方向が互いに異なる複数の前記支軸と、この複数の支軸に対応する複数の前記ヒンジ装置とを有することを特徴とする請求項１に記載の開閉体の開閉機構。
【請求項５】
請求項１乃至請求項４のいずれかに記載の開閉体の開閉機構を備えたことを特徴とする画像読取装置。
【発明の詳細な説明】
【技術分野】
【０００１】
本発明は、開閉体を複数の方向に開閉可能とする開閉体の開閉機構及びこれを備えた画像読取装置に関するものである。
【背景技術】
【０００２】
画像読取装置、例えば画像読取機能のみを有するスキャナ装置、また画像読取機能を備えた画像形成装置である複写機、ファクシミリ装置、及び複合機などでは、原稿台上に載置された原稿を押さえ付けて原稿台に密着させるプラテンカバーが設けられている。
【０００３】
このプラテンカバーは、一方向に開閉可能としたものが一般的であるが、原稿台上に原稿を載置して読み取りを行わせる読取作業を要領良く行うには、プラテンカバーの開閉方向に応じて装置に対する操作者の位置が限定されてしまうことから、装置の設置場所が制約される不便があり、このような不便を解消するため、プラテンカバーを多方向に開閉可能とした技術が知られている（特許文献１参照）。これは、磁石の着脱性を利用して開閉時に支点とならないヒンジ部を本体側から引き離すことができるようにしたものである。
【０００４】
また、このような開閉体を多方向に開閉可能とする技術は、画像読取装置以外のものでも採用されており、例えば、冷蔵庫のドアを左右いずれの方向からも開閉可能な両開き構造とした技術が知られている（特許文献２参照）。これは、左右のヒンジ部を連動させる機構を設け、開閉時の支点となるヒンジ部を保持状態とする一方で、支点とならないヒンジ部を解除状態とするものである。
【特許文献１】特開平８−１７１３２５号公報
【特許文献２】特開平９−１５９３４９号公報
【発明の開示】
【発明が解決しようとする課題】
【０００５】
しかしながら、前記の磁石によりヒンジ部を着脱可能とした従来の技術では、ヒンジ部がずれたり外れたりすることでプラテンカバーの開閉を円滑に行うことができず、開閉操作性が低下する難点がある。他方、前記の左右のヒンジ部を連動させる機構を設けた従来の技術では、連動機構のために構造が複雑になると共に大きな配置スペースを確保する必要が生じる不都合がある。
【０００６】
また、プラテンカバーのように上方に開く開閉体では、開閉体が自重で閉動作して作業の邪魔になることから、全閉位置の近傍では閉動作する一方で、全開位置の近傍では自然に開動作して全開状態に保持されると共に、中間位置では任意の角度位置に停止保持されるフリーストップ状態となるようにすると使い勝手が良くなり、開閉体の開閉機構を構成するにあたっては、このようなフリーストップ機能などの使い勝手を高める動作特性が実現されるように工夫することが望まれる。
【０００７】
本発明は、このような発明者の知見に基づき案出されたものであり、その主な目的は、良好な開閉操作性を実現し、構成の簡素化及び配置スペースの縮小を図り、フリーストップ機能などの使い勝手を高める動作特性を実現することができるように構成された開閉体の開閉機構及びこれを備えた画像読取装置を提供することにある。
【課題を解決するための手段】
【０００８】
本発明は、装置本体に対して開閉体を複数の方向に開閉可能にするべく、支軸とこの支軸を着脱可能に保持するヒンジ装置とが前記開閉体及び装置本体に複数設けられ、前記ヒンジ装置が、軸線に直交する１方向から前記支軸を受容可能な開放部が設けられた軸受け部を備えたヒンジ本体と、軸線に直交する１方向から前記支軸を受容可能な開放部が設けられた軸受け部、及び前記開閉体と連動回転するように前記開閉体と連結される連結部を備え、前記支軸と同軸的に回転可能に前記ヒンジ本体に保持された連動回転体と、中立位置を挟んで付勢方向が切り替わるように前記連動回転体を前記ヒンジ本体に対して回転付勢する付勢手段とを有し、前記支軸を保持しない初期状態で、前記ヒンジ本体及び連動回転体の各開放部が前記支軸の進入方向に向いた状態で互いに整合し、前記支軸を保持した状態で前記開閉体が開かれると、前記ヒンジ本体及び連動回転体の各開放部が互いにずれて前記支軸の離脱を阻止すると共に、前記開閉体の開度が全閉位置から全開位置まで変化するのに応じて閉方向付勢状態、フリーストップ状態、及び開方向付勢状態となるようにした構成とする。
【発明の効果】
【０００９】
本発明によれば、ヒンジ装置が支軸を着脱可能に保持するため、支軸やヒンジ本体を開閉体や装置本体に固定すれば良く、ヒンジ装置がずれたり外れたりすることを避けることができるため、開閉体の開閉動作を円滑化して開閉操作性を向上させることができる。また、開閉体の開閉状態に応じてヒンジ装置からの支軸の離脱の阻止及び許容が切り替えられるため、開閉時の支点となるヒンジ装置と支点とならないヒンジ装置とを連動させる機構が不要となり、構成の簡素化及び配置スペースの縮小を図ることができる。さらに、開閉体の開度に応じて閉方向付勢状態、フリーストップ状態、及び開方向付勢状態が切り替えられるため、使い勝手を高めることができる。
【発明を実施するための最良の形態】
【００１０】
上記課題を解決するためになされた第１の発明は、装置本体に対して開閉体を複数の方向に開閉可能にするべく、支軸とこの支軸を着脱可能に保持するヒンジ装置とが前記開閉体及び装置本体に複数設けられ、前記ヒンジ装置が、軸線に直交する１方向から前記支軸を受容可能な開放部が設けられた軸受け部を備えたヒンジ本体と、軸線に直交する１方向から前記支軸を受容可能な開放部が設けられた軸受け部、及び前記開閉体と連動回転するように前記開閉体と連結される連結部を備え、前記支軸と同軸的に回転可能に前記ヒンジ本体に保持された連動回転体と、中立位置を挟んで付勢方向が切り替わるように前記連動回転体を前記ヒンジ本体に対して回転付勢する付勢手段とを有し、前記支軸を保持しない初期状態で、前記ヒンジ本体及び連動回転体の各開放部が前記支軸の進入方向に向いた状態で互いに整合し、前記支軸を保持した状態で前記開閉体が開かれると、前記ヒンジ本体及び連動回転体の各開放部が互いにずれて前記支軸の離脱を阻止すると共に、前記開閉体の開度が全閉位置から全開位置まで変化するのに応じて閉方向付勢状態、フリーストップ状態、及び開方向付勢状態となるようにした構成とする。
【００１１】
これによると、ヒンジ装置が支軸を着脱可能に保持するため、支軸やヒンジ本体をずれたり外れたりしないように開閉体や装置本体に確実に固定することができ、開閉体の開閉動作を円滑化して開閉操作性を向上させることができる。また、開閉体の開閉状態に応じてヒンジ装置からの支軸の離脱の阻止及び許容が切り替えられるため、開閉時の支点となるヒンジ装置と支点とならないヒンジ装置とを連動させる機構が不要となり、構成の簡素化及び配置スペースの縮小を図ることができる。さらに、開閉体の開度に応じて閉方向付勢状態、フリーストップ状態、及び開方向付勢状態が切り替えられるため、使い勝手を高めることができる。
【００１２】
この場合、付勢手段は、引張ばねとして、その一端が係合するヒンジ本体側の取付部と他端が係合する連動回転体側の取付部とを、回転中心となる支軸を挟んで相反する側に配置した構成とすると良く、これにより中立位置を挟んで付勢方向が切り替わるように連動回転体を付勢することができる。
【００１３】
なお、支軸及びヒンジ装置は、開閉体及び装置本体のいずれに設けることも可能である。
【００１４】
前記課題を解決するためになされた第２の発明は、前記第１の発明において、前記ヒンジ本体が、前記装置本体側に設けられたガイド部に沿って進退可能な脚部を備え、前記開閉体を閉じる際に、前記支軸が前記ヒンジ装置に保持されたまま、前記開閉体が前記装置本体から離反する方向に移動可能とした構成とする。
【００１５】
これによると、開閉体を装置本体から離反する方向に移動させることができ、例えば画像読取装置では、厚物原稿の読み取り時に開閉体であるプラテンカバーが上昇して原稿台上に載置された厚物原稿を確実に押さえ付けることができる。
【００１６】
前記課題を解決するためになされた第３の発明は、前記第２の発明において、前記ヒンジ装置が、軸線に直交する１方向から前記支軸を受容可能な開放部が設けられた軸受け部、及び前記装置本体側の面に当接可能な腕部を備え、前記支軸と同軸的に回転可能に前記ヒンジ本体に保持された独立回転体と、この独立回転体の腕部を前記装置本体側の面に当接させる向きに当該独立回転体を前記連動回転体に対して回転付勢する付勢手段とを有し、前記支軸を保持しない初期状態で、前記ヒンジ本体及び独立回転体の各開放部が前記支軸の進入方向に向いた状態で互いに整合し、前記支軸を保持した状態で前記開閉体が前記装置本体から離反移動すると、前記ヒンジ本体及び独立回転体側の各開放部が互いにずれて前記支軸の離脱を阻止するようにした構成とする。
【００１７】
これによると、開閉体が装置本体から離反する方向に移動させた状態でも、ヒンジ装置が支軸を確実に保持することができ、例えば画像読取装置では、厚物原稿の読み取り時に開閉体であるプラテンカバーが外れることなく厚物原稿を確実に押さえ付けることができる。
【００１８】
この場合、独立回転体に作用するばねの付勢力の反力が連動回転体を開方向に回転付勢するのみで、ヒンジ本体と独立回転体との間にばねを介装した場合のように、初期状態においてヒンジ本体が持ち上がる不具合を避けることができる。なお、独立回転体を付勢するばねの付勢力を、連動回転体を閉方向に付勢するばねの付勢力より小さく設定すれば、開放部が互いに整合する初期状態に保持することができる。
【００１９】
前記課題を解決するためになされた第４の発明は、前記第１の発明において、軸線方向が互いに異なる複数の前記支軸と、この複数の支軸に対応する複数の前記ヒンジ装置とを有する構成とする。
【００２０】
これによると、開閉体を多方向に開閉することができ、利便性が向上する。例えば画像読取装置では、方形状をなす原稿台を覆う開閉体としてのプラテンカバーの４辺に、軸線方向が互いに直交する態様で支軸を設けた構成とすると良く、これにより前後左右の４方向でプラテンカバーを開閉することができる。
【００２１】
以下に添付の図面を参照して本発明の実施の形態について詳細に説明する。
【００２２】
図１は、本発明による開閉体の開閉機構が適用された複写機を示す斜視図である。この複写機は、装置本体１の上面に方形状をなす原稿台ガラス２を備え、この原稿台ガラス２上に載置された原稿を押さえ付けて原稿台ガラス２に密着させるプラテンカバー（開閉体）３が、プラテンカバー３に設けられた複数の支軸４と、この複数の支軸４の各々を着脱可能に保持するべく装置本体１に設けられたヒンジ装置５とにより開閉可能に支持されている。
【００２３】
支軸４は、方形状をなすプラテンカバー３の各辺縁部に、２つずつ対をなして同軸的に設けられており、これらの支軸４は、隣り合う辺縁部の支軸４に対して軸線方向が互いに直交する態様で設けられている。他方、ヒンジ装置５は、プラテンカバー３の支軸４に対応して原稿台ガラス２の周縁部に設けられており、これによりプラテンカバー３を前後左右の４方向で開閉することができ、例えば操作者が装置本体１の前後左右いずれの位置にいても、所望の方向にプラテンカバー３を開閉することができる。
【００２４】
図２は、図１に示した複写機の内部構成を示す模式的な断面図である。この複写機の装置本体１は、原稿Ａの画像を読み取る原稿読取部１１と、ここで生成した画像データに基づいて原稿の画像を記録紙上に形成する画像形成部１２とからなっている。
【００２５】
原稿読取部１１は、原稿台ガラス２上に載置された原稿に光を照射する光源１４と、原稿Ａからの反射光を結像レンズ１５に導くミラー１６・１７・１８と、結像レンズ１５で結像された光を電気信号に変換するイメージセンサ１９とを有している。光源１４及びミラー１６は第１の読取キャリッジ２１に搭載され、ミラー１７・１８は第２の読取キャリッジ２２に搭載されており、これら第１及び第２の読取キャリッジ２１・２２は、ワイヤドラム２３及び従動プーリ２４に巻き掛けられたワイヤ２５により副走査方向に牽引駆動れる。ワイヤ２５は、第２の読取キャリッジ２２に設けられた半速プーリ２６にも巻き掛けられており、第２の読取キャリッジ２２が第１の読取キャリッジ２１の半分の距離を移動するようになっている。
【００２６】
画像形成部１２は、感光体ドラム（像坦持体）３１の周囲に、感光体ドラム３１の作像面を均一に帯電させる帯電器３２と、感光体ドラム３１の作像面上に露光用の光束を照射して静電潜像を形成する光走査装置３３と、感光体ドラム３１の作像面上の静電潜像をトナーで現像する現像プロセスユニット３４と、感光体ドラム３１の作像面を清掃するクリーニングユニット３５とが設けられており、給紙部３６の記録紙が画像形成部１２に搬送されて、感光体ドラム３１の作像面上に形成されたトナー像が転写された後、定着部３７を経て排紙部３８に排出される。
【００２７】
図３は、図１に示したヒンジ装置５の分解状態の斜視図である。図４は、図１に示したヒンジ装置５の組立状態の斜視図である。図５は、図１に示したヒンジ装置５において、別のヒンジ装置５を支点にしてプラテンカバー３を開閉する際の状態を示す正面図及び背面図である。
【００２８】
ヒンジ装置５は、図３に示すように、支軸４を回転可能に支持するヒンジ本体５１と、このヒンジ本体５１に回転可能に保持されるカラー（連動回転体）５２と、同じくヒンジ本体５１に回転可能に保持されるレバー（独立回転体）５３と、ヒンジ本体５１に対してカラー５２を回転付勢する第１のばね（付勢手段）５４と、カラー５２に対してレバー５３を回転付勢する第２のばね（付勢手段）５５とを有している。
【００２９】
ヒンジ本体５１は、軸線に直交する１方向から支軸４を受容可能な開放部５７が設けられた軸受け部５８と、この軸受け部５８から下方に延出されて、図５に示すように装置本体１側に設けられたガイド孔（ガイド部）５９に挿入される脚部６０と、軸受け部５８から側方に延出されて、先端に第１のばね５４が係止されるばね取付部６１が設けられた側板部６２とを有している。
【００３０】
カラー５２は、ヒンジ本体５１における円筒状外面をなす軸受け部５８と相互補完的な円筒状内面を有する本体部６４を備え、ヒンジ本体５１の軸受け部５８に回転可能に嵌合し、支軸４と同軸的に回転可能にヒンジ本体５１に保持される。
【００３１】
本体部６４の前面側には、軸線に直交する１方向から支軸４を受容可能な開放部６５が設けられた軸受け部６６と、プラテンカバー３の開閉動作に連動して回転するようにプラテンカバー３に連結される連結部６７とが設けられている。この連結部６７は、支軸４を支持するステー４１が嵌合する段部６８を有し、プラテンカバー３と相対回転不能に連結される。
【００３２】
本体部６４の背面側には、第１のばね５４が係止されるばね取付部７０が軸方向に突出形成されており、本体部６４の側面には、第２のばね５５が係止されるばね取付部７１が側方に突出形成されている。また本体部６４の背面側には、ストッパ７２が設けられており、このストッパ７２は、ヒンジ本体５１の側板部６２に設けられたガイド孔７３に挿通されて、図５（Ｂ）に示すように側板部６２の背面側に設けられたガイド溝７４に嵌合して、ヒンジ本体５１に対するカラー５２の回転範囲を規定する。
【００３３】
レバー５３は、軸線に直交する１方向から支軸４を受容可能な開放部７６が設けられた軸受け部７７と、この軸受け部７７から側方に延出されて、図５（Ａ）に示すように装置本体１側の規制面に当接可能な腕部７８とを有している。軸受け部７７は、カラー５２の内部に収容された状態で、ヒンジ本体５１の軸受け部５８の端面に当接し、支軸４と同軸的に回転可能にヒンジ本体５１に保持される。
【００３４】
図６は、図１に示したヒンジ装置５において、プラテンカバー３を開閉する際の状態を段階的に示す背面図であり、（Ａ）に全閉状態を、（Ｂ）に途中の状態を、（Ｃ）に全開状態をそれぞれ示している。
【００３５】
プラテンカバー３は、これに相対回転不能に連結されたカラー５２のストッパ７２が、ヒンジ本体５１のガイド溝７４に規制されることにより、回転範囲が規定される。すなわち、図６（Ａ）に示すように、ストッパ７２がガイド溝７４の一方の端部に規制されて全閉位置が規定され、また図６（Ｃ）に示すように、ストッパ７２がガイド溝７４の他方の端部に規制されて全開位置が規定される。
【００３６】
第１のばね５４は、引張ばねであり、その一端が係合するヒンジ本体５１側の取付部６１と、他端が係合するカラー５２側の取付部７０とが、回転中心となる支軸４を挟んで相反する側に配置されているため、第１のばね５４による付勢方向が、図６（Ｂ）に示す中立位置を挟んで切り替わる。すなわち、中立位置では第１のばね５４が最も延びた状態になり、この第１のばね５４が縮むように取付部７０を牽引するため、中立位置より閉側では閉方向の回転力が発生し、開側では開方向の回転力が発生する。
【００３７】
このため、全閉位置の近傍では、プラテンカバー３の自重による回転力と第１のばね５４による閉方向の回転力とにより、プラテンカバー３が閉方向に付勢され、プラテンカバー３が自然に閉動作する。また全閉状態、及び図５に示すように支軸４が嵌合しない初期状態では、カラー５２は、第１のばね５４の付勢力とストッパ７２による規制により、軸受け部６６の開放部６５が上を向く初期位置に保持される。
【００３８】
他方、全開位置の近傍では、第１のばね５４による開方向の回転力がプラテンカバー３の自重による回転力より大きくなるため、プラテンカバー３が自然に開動作し、図６（Ｃ）に示す全開状態では、第１のばね５４の付勢力によりプラテンカバー３が全開位置に停止保持される。
【００３９】
また、第１のばね５４による開方向の回転力とプラテンカバー３の自重による回転力とが釣り合う角度領域があり、この角度領域では、プラテンカバー３から手を離してもプラテンカバー３が現在の位置に停止保持されるフリーストップ状態となる。このフリーストップ状態となる角度領域は、第１のばね５４の配置位置や付勢力を調整することにより適宜に変更することができる。
【００４０】
他方、図４・図５（Ａ）に示すように、第２のばね５５は、圧縮ばねであり、カラー５２のばね取付部７１とレバー５３の腕部７８との間に介装されて、腕部７８を装置本体１側の規制面に圧接させる向きにレバー５３を回転付勢する。このため、支軸４が嵌合しない初期状態では、レバー５３は、腕部７８が装置本体１に当接すると共に開放部７６が上を向いた初期位置に保持される。このとき、レバー５３に作用する第２のばね５５の付勢力の反力がカラー５２を開方向に回転付勢するが、第２のばね５５はカラー５２を閉方向に付勢する第１のばね５４より小さな付勢力に設定されているため、カラー５２は、第１のばね５４の付勢力とストッパ７２による規制により、開放部６５が上を向いた初期位置に保持される。他方、ヒンジ本体５１は、装置本体１側のガイド孔５９に脚部６０が固定されることで、常時、軸受け部５８の開放部５７が上を向いている。
【００４１】
このため、支軸４が嵌合しない初期状態では、ヒンジ本体５１、カラー５２及びレバー５３の各開放部５７・６５・７６が共に上を向いた状態で互いに整合しており、別のヒンジ装置５に支軸４を保持させてその支軸４を支点にしてプラテンカバー３を開閉する際には、ヒンジ本体５１、カラー５２及びレバー５３の各軸受け部５８・６６・７７への支軸４の受容、及び各軸受け部５８・６６・７７からの支軸４の離脱が円滑に行われ、プラテンカバー３を円滑に開閉することができる。
【００４２】
図７は、図１に示したヒンジ装置５において、プラテンカバー３を開閉する際の状態を段階的に示す断面図である。図８は、図７に示した状態の模式図である。ここでは、（Ａ）に全閉状態を、（Ｂ）に途中の状態を、（Ｃ）に全開状態をそれぞれ示している。
【００４３】
カラー５２は、図４に示したように、プラテンカバー３側のステー４１が連結部６７に嵌合することで、プラテンカバー３の開閉動作に連動して回転し、プラテンカバー３を開いた際には、図７（Ｂ）・（Ｃ）及び図８（Ｂ）・（Ｃ）に示すように、カラー５２の開放部６５とヒンジ本体５１の開放部５７とがずれるため、支軸４の離脱が阻止される。
【００４４】
また、カラー５２には、カラー５２に対するレバー５３の相対回転位置を規定するために腕部７８を規制する規制面８１が設けられており、第２のばね５５により回転付勢されたレバー５３が腕部７８を規制面８１に規制されることで、カラー５２に対するレバー５３の相対回転が阻止され、プラテンカバー３を開閉する際には、カラー５２に追随してレバー５３が回転し、このとき、カラー５２に対するレバー５３の相対回転位置が初期位置から変化するため、レバー５３の開放部７６がヒンジ本体５１の開放部５７及びカラー５２の開放部６５のいずれとも整合しない位置になる。
【００４５】
図９は、図１に示したヒンジ装置５において、厚物原稿の読み取りの際の状態を段階的に示す断面図である。図１０は、図９に示した状態の模式図である。
【００４６】
ヒンジ本体５１は、装置本体１側に設けられたガイド孔５９に脚部６０が挿入されて、ガイド孔５９に沿って上下動可能となっており、原稿台ガラス２上に厚物原稿を載置して、全開状態からプラテンカバー３を閉じると、図９（Ａ）・図１０（Ａ）に示すように、全閉状態の手前で原稿台ガラス２上の厚物原稿にプラテンカバー３が当接し、ここでプラテンカバー３を手で押さえ付けると、厚物原稿に規制されてプラテンカバー３の端部３ａが持ち上がろうとする。このとき、カラー５２の開放部６５がヒンジ本体５１の開放部５７及びレバー５３の開放部７６とずれていることから、支軸４の離脱が阻止されるため、プラテンカバー３の端部に作用する上昇力により、図９（Ｂ）・図１０（Ｂ）に示すように、プラテンカバー３の端部３ａと共にヒンジ装置５全体が上昇する。
【００４７】
ここで、レバー５３は、カラー５２に対して腕部７８を装置本体１に圧接させる方向（図中反時計回り）に第２のばね５５により回転付勢され、腕部７８が装置本体１に当接した状態に保持されるため、ヒンジ装置５全体が上昇すると、レバー５３が回転して、レバー５３の開放部７６がヒンジ本体５１の開放部５７及びカラー５２の開放部６５とずれるため、支軸４の離脱が阻止され、ヒンジ装置５は支軸４を保持したまま、プラテンカバー３の端部３ａから吊り下げられた状態になる。
【００４８】
なお、この例では、支軸４をプラテンカバー３に、ヒンジ装置５を装置本体１にそれぞれ設けたが、これとは逆に、支軸４を装置本体１に、ヒンジ装置５をプラテンカバー３にそれぞれに設けることも可能である。
【産業上の利用可能性】
【００４９】
本発明にかかる開閉体の開閉機構及びこれを備えた画像読取装置は、良好な開閉操作性を実現し、構成の簡素化及び配置スペースの縮小を図り、フリーストップ機能などの使い勝手を高める動作特性を実現することができる効果を有し、開閉体を複数の方向に開閉可能とする開閉体の開閉機構及びこれを備えた画像読取装置、例えば画像読取機能のみを有するスキャナ装置、また画像読取機能を備えた画像形成装置である複写機、ファクシミリ装置、及び複合機などとして有用である。
【図面の簡単な説明】
【００５０】
【図１】本発明による開閉体の開閉機構が適用された複写機を示す斜視図
【図２】図１に示した複写機の内部構成を示す模式的な断面図
【図３】図１に示したヒンジ装置の分解状態の斜視図
【図４】図１に示したヒンジ装置の組立状態の斜視図
【図５】図１に示したヒンジ装置において、別のヒンジ装置を支点にしてプラテンカバーを開閉する際の状態を示す正面図及び背面図
【図６】図１に示したヒンジ装置において、プラテンカバーを開閉する際の状態を段階的に示す背面図
【図７】図１に示したヒンジ装置において、プラテンカバーを開閉する際の状態を段階的に示す断面図
【図８】図７に示した状態の模式図
【図９】図１に示したヒンジ装置において、厚物原稿の読み取りの際の状態を段階的に示す断面図
【図１０】図９に示した状態の模式図
【符号の説明】
【００５１】
１  装置本体
２  原稿台ガラス
３  プラテンカバー（開閉体）
４  支軸
５  ヒンジ装置
４１  ステー
５１  ヒンジ本体
５２  カラー（連動回転体）
５３  レバー（独立回転体）
５４  第１のばね（付勢手段）
５５  第２のばね（付勢手段）
５７  開放部
５８  軸受け部
５９  ガイド孔（ガイド部）
６０  脚部
６５  開放部
６６  軸受け部
６７  連結部
７６  開放部
７７  軸受け部
７８  腕部
【図１】
2007316392.tif 000003
【図２】
2007316392.tif 000004
【図３】
2007316392.tif 000005
【図４】
2007316392.tif 000006
【図５】
2007316392.tif 000007
【図６】
2007316392.tif 000008
【図７】
2007316392.tif 000009
【図８】
2007316392.tif 000010
【図９】
2007316392.tif 000011
【図１０】
2007316392.tif 000012